(57)【要約】【課題】高分子化合物に含まれているハロゲンを確実に脱離できるようにする。【解決手段】ハロゲンと無機系充填材を含んでいる高分子化合物を主成分とした廃棄物Ｐを、硫酸並びに水蒸気が共存する低酸素濃度または無酸素の雰囲気で２５０℃乃至６００℃の温度範囲に加熱し得る処理器２を備えている。  つまり、廃棄物Ｐに含まれている無機系充填材が硫酸と反応し、炭化物を主成分とした残渣Ｒに硫酸塩が滞留した状態となるので、残渣Ｒを原材料や燃料に用いてもハロゲンに起因する支障が発生することがなく、廃棄物Ｐを有効に利用できる。【選択図】図１
2006070162.tif 000002
【特許請求の範囲】
【請求項１】
ハロゲンと無機系充填材を含んでいる高分子化合物を硫酸が共存する低酸素濃度または無酸素雰囲気で２５０℃乃至６００℃の温度範囲に加熱してハロゲンを脱離させるとともに充填材を硫酸塩に転化させたうえ、残渣を回収することを特徴とする廃棄物処理方法。
【請求項２】
無機系充填材を組成要素としたハロゲン化合物を含んでいる高分子化合物の残渣を硫酸が共存する低酸素濃度または無酸素雰囲気で２５０℃乃至６００℃の温度範囲に加熱してハロゲン化合物を硫酸塩に転化させたうえ、残渣を回収することを特徴とする廃棄物処理方法。
【請求項３】
ハロゲンと無機系充填材を含んでいる高分子化合物、あるいは無機系充填材を組成要素としたハロゲン化合物を含んでいる高分子化合物の残渣を硫酸が共存する低酸素濃度または無酸素雰囲気で加熱し得る処理器を備えてなることを特徴とする廃棄物処理設備。
【発明の詳細な説明】
【技術分野】
【０００１】
本発明は廃棄物処理方法及び設備に関するものである。
【背景技術】
【０００２】
従来、ポリ塩化ビニルやフッ素樹脂などのような高分子化合物（含ハロゲンポリマ）が主成分である廃棄物を加熱してハロゲンを離脱させ、その残渣を炭素系原材料、あるいは燃料として再利用することが提案されている（例えば、特許文献１参照）。
【特許文献１】特開２００１−１５１９３２号公報
【発明の開示】
【発明が解決しようとする課題】
【０００３】
ところが特許文献１に基づき、例えばポリ塩化ビニルの処理を行なった場合、ポリ塩化ビニルの生成過程で充填材として添加してある炭酸カルシウムが、脱離した塩素と反応し、塩素化合物（ハロゲン化合物）が残渣に滞留した状態になる。
【０００４】
つまり、含ハロゲンポリマを加熱することにより得た残渣を原材料に用いると、製品にハロゲンが不純物として混じり、当該残渣を燃料に用いると、ハロゲンによって燃焼器が腐食してしまう。
【０００５】
本発明は上述した実情に鑑みてなしたもので、高分子化合物に含まれているハロゲンを確実に脱離できるようにすることを目的としている。
【課題を解決するための手段】
【０００６】
上記目的を達成するために、請求項１に記載の発明は、ハロゲンと無機系充填材を含んでいる高分子化合物を硫酸が共存する低酸素濃度または無酸素雰囲気で２５０℃乃至６００℃の温度範囲に加熱してハロゲンを脱離させるとともに充填材を硫酸塩に転化させたうえ、残渣を回収する。
【０００７】
請求項２に記載の発明は、無機系充填材を組成要素としたハロゲン化合物を含んでいる高分子化合物の残渣を硫酸が共存する低酸素濃度または無酸素雰囲気で２５０℃乃至６００℃の温度範囲に加熱してハロゲン化合物を硫酸塩に転化させたうえ、残渣を回収する。
【０００８】
請求項３に記載の発明は、ハロゲンと無機系充填材を含んでいる高分子化合物、あるいは無機系充填材を組成要素としたハロゲン化合物を含んでいる高分子化合物の残渣を硫酸が共存する低酸素濃度または無酸素雰囲気で加熱し得る処理器を備えている。
【０００９】
請求項１に記載の発明においては、高分子化合物に含まれている無機系充填材が硫酸と反応し、残渣に硫酸塩が滞留した状態となる。
【００１０】
請求項２に記載の発明においては、高分子化合物の残渣が含んでいるハロゲン化合物の組成要素の無機系充填材が硫酸と反応し、残渣に硫酸塩が滞留した状態となる。
【００１１】
請求項３に記載の発明においては、処理器に入れた高分子化合物に含まれている無機系充填材、あるいは処理器に入れた高分子化合物の残渣が含んでいるハロゲン化合物の組成要素の無機系充填材が硫酸と反応し、残渣に硫酸塩が滞留した状態となる。
【発明の効果】
【００１２】
本発明の廃棄物処理方法及び設備によれば、下記のような優れた効果を奏し得る。
【００１３】
（１）請求項１及び請求項３に記載の発明のいずれにおいても、高分子化合物に含まれている無機系充填材が硫酸と反応し、炭化物を主成分とした残渣に硫酸塩が滞留した状態となるので、当該残渣を原材料や燃料に用いてもハロゲンに起因する支障が発生することがなく、廃棄物を有効に利用できる。
【００１４】
（２）請求項２及び請求項３に記載の発明のいずれにおいても、ハロゲン化合物の組成要素の無機系充填材が硫酸と反応し、炭化物を主成分とした残渣に硫酸塩が滞留した状態となるので、当該残渣を原材料や燃料に用いてもハロゲンに起因する支障が発生することがなく、廃棄物を有効に利用できる。
【発明を実施するための最良の形態】
【００１５】
以下、本発明の実施の形態を図示例とともに説明する。
【００１６】
図１は本発明の廃棄物処理設備の実施の形態の第１の例を示すものであり、洗浄済みの含ハロゲンポリマを主成分とした廃棄物Ｐを砕く破砕機１と、破砕機１を経た廃棄物Ｐを硫酸並びに水蒸気が共存する低酸素濃度または無酸素の雰囲気で２５０℃乃至６００℃の温度範囲に加熱し得る処理器２を備え、該処理器２には、窒素（不活性ガス）、水蒸気、及び硫酸が供給されるようになっている。
【００１７】
例えば、廃棄物Ｐの主成分がポリ塩化ビニルである場合に、処理器２において廃棄物Ｐを上記の雰囲気で２５０℃乃至６００℃の温度範囲に加熱すると、ポリ塩化ビニルの組成要素である塩素が脱離し、ポリ塩化ビニルに添加してある無機系充填材が硫酸と反応することにより硫酸カルシウムなどの硫酸塩に転化され、炭化物を主成分とした残渣Ｒに当該硫酸塩が滞留した状態になる。
【００１８】
廃棄物Ｐから脱離した塩素は水蒸気と反応して塩化水素を主体にするガスとなり、塩素が除去されることになるため、残渣Ｒを原材料や燃料に用いてもハロゲンに起因する支障は生じない。
【００１９】
このとき、硫酸は蒸気、あるいはミストのいずれであってもよく、不活性ガスによって処理器２内部を５％以下の低酸素濃度、好ましくは無酸素の雰囲気に設定すれば、炭素の酸化が抑制されて高熱量の残渣Ｒを得ることができる。
【００２０】
また、廃棄物Ｐなどを上記の温度範囲に加熱する手段としては、電気抵抗による外熱、高周波や低周波による電磁誘導加熱、あるいはマイクロ波照射による静電誘導加熱などが適用できる。
【００２１】
この他に廃棄物処理設備には、処理器２で生成された塩化水素及び硫酸塩の生成に寄与しなかった残余の硫酸などを主成分としたガスを助燃料とともに燃焼させる燃焼器３と、該燃焼器３から送出されるガスに水を添加して塩化水素の回収を図るハロゲン化水素回収塔４と、該ハロゲン化水素回収塔４から送出されるガスが含んでいる二酸化硫黄成分を三酸化硫黄成分に酸化するＳＯｘ酸化塔５と、該ＳＯｘ酸化塔５から送出されるガスが含んでいる三酸化硫黄成分から硫酸及び水を回収する硫酸回収塔６と、該硫酸回収塔６で得た硫酸成分を濃縮する濃縮器７とが付帯しており、該濃縮器７から処理器２へ硫酸が供給されるようになっている。
【００２２】
ハロゲン化水素回収塔４で回収された塩化水素は、含ハロゲンポリマの組成要素として再利用することができる。
【００２３】
図２は本発明の廃棄物処理設備の実施の形態の第２の例を示すものであり、図中、図１と同一の符号を付した部分は同一物を表している。
【００２４】
この廃棄物処理設備では、ＳＯｘ酸化塔５の後段に脱硫装置８を組み込み、三酸化硫黄成分を石灰（炭酸カルシウム）と反応させて、石膏（硫酸カルシウム）を生成するようにしてある。
【００２５】
また、処理器２において廃棄物Ｐからハロゲンを脱離させ且つ無機系添加物を硫酸塩に転化する点は先述した第１の例と同様であり、よって、残渣Ｒを原材料や燃料に用いてもハロゲンに起因する支障は生じない。
【００２６】
図３は本発明の廃棄物処理設備の実施の形態の第３の例を示すものであり、図中、図１と同一の符号を付した部分は同一物を表している。
【００２７】
この廃棄物処理設備は、特許文献１などのような公知手段により脱塩素処理が完了済みの廃棄物残渣Ｑを対象として処理器２の後段に硫酸回収塔６を組み込んである。
【００２８】
すなわち、塩素化合物などのハロゲン化合物が滞留した状態の廃棄物残渣Ｑを破砕機１で砕き、処理器２において廃棄物残渣Ｑを硫酸並びに水蒸気が共存する低酸素濃度または無酸素の雰囲気で２５０℃乃至６００℃の温度範囲に加熱すると、前記ハロゲン化合物のハロゲンが脱離し、ハロゲン化合物の組成要素である無機系充填材が硫酸と反応することにより硫酸カルシウムなどの硫酸塩に転化され、当該硫酸塩が炭化物を主成分とした残渣Ｒに滞留した状態になるので、この残渣Ｒを原材料や燃料に用いてもハロゲンに起因する支障は生じない。
【００２９】
また、硫酸回収塔６で得た硫酸成分は処理器２へ供給されるようになっている。
【００３０】
なお、本発明の廃棄物処理方法及び設備は、上述した実施の形態のみに限定されるものではなく、本発明の要旨を逸脱しない範囲内において変更を加え得ることは勿論である。
【産業上の利用可能性】
【００３１】
本発明の廃棄物処理方法及び装置は、ハロゲンを組成要素とした様々な高分子化合物にに適用することができる。
【図面の簡単な説明】
【００３２】
【図１】本発明の廃棄物処理設備の実施の形態の第１の例を示す概念図である。
【図２】本発明の廃棄物処理設備の実施の形態の第２の例を示す概念図である。
【図３】本発明の廃棄物処理設備の実施の形態の第３の例を示す概念図である。
【符号の説明】
【００３３】
２    処理器
Ｐ    廃棄物（ハロゲンと無機系充填材を含んでいる高分子化合物）
Ｑ    廃棄物残渣（無機系充填材を組成要素としたハロゲン化合物を含んでいる高分子化合物の残渣）
Ｒ    残渣
【図１】
2006070162.tif 000003
【図２】
2006070162.tif 000004
【図３】
2006070162.tif 000005